(57)【要約】  生理学的信号Ｓ（ｆ）のＭＲ干渉を減少する、磁気共鳴（ＭＲ）システムにおいて使用する回路３２は、第１の加算／減算ノード３６、ハイパスフィルタ４０、及び第２の加算／減算ノード４２を含む。第１の加算／減算ノード３６は、無線周波数磁気干渉Ｎ（ｆ）及び生理学的信号Ｓ（ｆ）を含む第１の信号３４、並びに生理学的信号Ｓ（ｆ）及びエラー信号Ｅ（ｆ）を含む第２の信号を入力し、前記第２の信号を前記第１の信号と減算的に組み合わせ、差分信号Ｎ（ｆ）−Ｅ（ｆ）を生成する。ハイパスフィルタ４０は、前記第１の加算／減算ノードからの差分信号Ｎ（ｆ）−Ｅ（ｆ）をフィルタリングする。第２の加算／減算ノード４２は、第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］を減算的に組み合わせ、第２の信号Ｓ（ｆ）＋Ｅ（ｆ）を生成する。
2015520649.tif 000002
【特許請求の範囲】
【請求項１】
生理学的信号Ｓ（ｆ）のＭＲ干渉を減少する、磁気共鳴（ＭＲ）システムにおいて使用する回路において、
ＭＲＩスキャナにより生成された全ての干渉成分Ｎ（ｆ）及び生理学的信号Ｓ（ｆ）を含む第１の信号、並びに前記生理学的信号Ｓ（ｆ）及びエラー信号Ｅ（ｆ）を含む第２の信号を入力し、前記第２の信号Ｓ（ｆ）＋Ｅ（ｆ）を前記第１の信号Ｓ（ｆ）＋Ｎ（ｆ）と減算的に組み合わせ、差分信号Ｎ（ｆ）−Ｅ（ｆ）を生成する第１の加算／減算ノードと、
前記第１の加算／減算ノードからの前記差分信号Ｎ（ｆ）−Ｅ（ｆ）をフィルタリングするハイパスフィルタと、
前記第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］を減算的に組み合わせ、前記第２の信号Ｓ（ｆ）＋Ｅ（ｆ）を生成する第２の加算／減算ノードと、
を有する回路。
【請求項２】
ローパスフィルタ、
スルーレート制限ユニット、及び
補間ユニット、
の少なくとも１つを含む、請求項１に記載の回路。
【請求項３】
前記第１の加算／減算ノード、前記第２の加算／減算ノード、及び前記ハイパスフィルタが、それぞれ演算増幅器を含む、請求項１及び２のいずれか一項に記載の回路。
【請求項４】
前記生理学的信号が、心電図（ＥＣＧ）信号を含む、請求項１ないし３のいずれか一項に記載の回路。
【請求項５】
前記第２の信号をデジタル信号に変換するアナログ・デジタル変換器、
を含む、請求項１ないし４のいずれか一項に記載の回路。
【請求項６】
前記ハイパスフィルタが、サレンキーフィルタを含む、請求項１ないし５のいずれか一項に記載の回路。
【請求項７】
前記無線周波数磁気共鳴干渉が、傾斜パルス干渉を含む、請求項１ないし６のいずれか一項に記載の回路。
【請求項８】
少なくとも１つの電極と、
それぞれ電極に接続された少なくとも１つのワイヤと、
前記磁気共鳴干渉Ｎ（ｆ）を除去するように前記少なくとも１つのワイヤに接続された請求項１ないし７のいずれか一項に記載の回路と、
を有する心電図システム。
【請求項９】
前記少なくとも１つのワイヤの各々が、別の回路に接続される、請求項８に記載のシステム。
【請求項１０】
減少された磁気共鳴干渉を持つ生理学的信号Ｓ（ｆ）を受け取る少なくとも１つの患者モニタ、
を含む、請求項８及び９のいずれか一項に記載のシステム。
【請求項１１】
生理学的信号Ｓ（ｆ）のＭＲ干渉を減少する、ＭＲシステムにおいて使用する方法において、
ＭＲＩスキャナにより生成された全ての干渉成分Ｎ（ｆ）及び生理学的信号Ｓ（ｆ）を含む第１の信号を入力するステップと、
前記生理学的信号Ｓ（ｆ）及びエラー信号Ｅ（ｆ）を含む第２の信号Ｓ（ｆ）＋Ｅ（ｆ）を前記第１の信号Ｓ（ｆ）＋Ｎ（ｆ）から減算的に組み合わせ、差分信号Ｎ（ｆ）−Ｅ（ｆ）を生成するステップと、
ハイパスフィルタを使用して前記差分信号をフィルタリングするステップと、
前記第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］を減算的に組み合わせ、前記第２の信号Ｓ（ｆ）＋Ｅ（ｆ）を生成するステップと、
を有する方法。
【請求項１２】
ローパスフィルタを使用して前記第２の信号をフィルタリングするステップ、
を含む、請求項１１に記載の方法。
【請求項１３】
前記第１の信号が、生理学的信号を含む、請求項１１及び１２のいずれか一項に記載の方法。
【請求項１４】
前記第２の信号をアナログ波形からデジタル波形に変換するステップ、
を含む、請求項１１ないし１３のいずれか一項に記載の方法。
【請求項１５】
前記方法が、複数の心電図（ＥＣＧ）電極リードの各々に対して実行される、請求項１１ないし１４のいずれか一項に記載の方法。
【請求項１６】
前記フィルタリングが、スルーレート制限を含む、請求項１１ないし１５のいずれか一項に記載の方法。
【請求項１７】
請求項１１ないし１６のいずれか一項に記載の方法を実行するように１つ又は複数の電子データ処理装置を制御するソフトウェアを有する不揮発性コンピュータ可読記憶媒体。
【請求項１８】
請求項１１ないし１６のいずれか一項に記載の方法を実行する電子データ処理装置。
【請求項１９】
生理学的信号Ｓ（ｆ）のＭＲ干渉を減少する、磁気共鳴（ＭＲ）システムにおいて使用する回路において、
干渉信号Ｎ（ｆ）で汚染されたＳ（ｆ）を含む入力信号を運ぶリードと、
前記干渉信号Ｎ（ｆ）をフィードフォワード回路にフィードフォワードするフィードフォワードパスと、
前記入力信号Ｓ（ｆ）＋Ｎ（ｆ）及び前記フィードフォワードされた干渉信号Ｎ（ｆ）を減算的に組み合わせ、出力信号Ｓ（ｆ）を生成するノードと、
を有する回路。
【請求項２０】
前記出力信号が、Ｓ（ｆ）及びエラー成分Ｅ（ｆ）を含み、
前記出力信号Ｓ（ｆ）＋Ｅ（ｆ）を前記フィードフォワードパスにフィードバックし、前記エラー成分Ｅ（ｆ）を最小化するフィードバック回路と、
前記フィードフォワード信号が前記干渉信号及び前記エラー信号Ｎ（ｆ）及びＥ（ｆ）を含むように前記フィードバックされた出力信号Ｓ（ｆ）＋Ｅ（ｆ）及び前記入力信号Ｓ（ｆ）＋Ｎ（ｆ）を減算的に組み合わせる第２のノードと、
を含む、請求項１９に記載の回路。
【発明の詳細な説明】
【技術分野】
【０００１】
以下は、広くは、医療用撮像及び患者モニタリングに関する。これは、磁気共鳴撮像及び／又は分光法処置中に患者をモニタリングすることと連動する特定の応用を見つけ、特にこれを参照して説明される。しかしながら、これは、他の使用シナリオにおいても応用を見つけ、必ずしも上述の応用に限定されないと理解される。
【背景技術】
【０００２】
磁気共鳴（ＭＲ）撮像において、対象は、静磁場内に配置される。磁気共鳴は、無線周波数（ＲＦ）パルスを印加することにより対象の組織内で励起される。傾斜磁場又はパルスが、空間エンコード、傾斜エコーの誘導等のために前記対象に印加される。前記対象内の磁気共鳴が崩壊すると、弱いＲＦ共鳴信号が発せられる。前記弱いＲＦ共鳴信号は、画像を再構成されるのに使用される１つ又は複数のコイルにおいて電流を誘導する。
【０００３】
撮像プロセス中に、対象は、しばしば、生理学的サインについてモニタされる。生理学的モニタリングは、前記対象のバイタルサインのモニタリングを提供する。生理学的モニタは、動き又は他のアーチファクトを補正するのに使用されることもできる。
【０００４】
例えば脈拍又は心拍に対して前記対象をモニタするために、リードワイヤを持つ電極が、前記対象の皮膚上に配置される。前記電極は、心拍又は脈拍を計算するように電気的活動を測定する。前記電極からの前記リードワイヤは、感知された電気的活動を心電図信号（ＥＣＧ）のような波形信号に変換する生理学的装置に接続される。前記波形信号は、ワイヤ、光媒体に沿って、又は無線で患者モニタ又は他の同様の装置に送信される。
【０００５】
前記電極からの前記ワイヤは、導電性であるので、前記リードワイヤ及び他のワイヤは、前記対象に印加された傾斜磁場パルスにより誘導される干渉電流の影響を受けやすい。前記電極、前記電極リードワイヤ、若しくは患者モニタに対するリードワイヤ、又はこれらの組み合わせにおける誘導された電流は、前記ＥＣＧ信号に対して傾斜ノイズ干渉を生じる。傾斜パルスからの干渉は、典型的には、約±１００ｍＶの振幅を持つが、±１０Ｖの高さに到達することができる。ＥＣＧは、典型的には、ピーク間で約３００ｕＶないし５ｍＶの振幅を持つ。
【０００６】
ＭＲ干渉を減少する１つのアプローチは、シールディングである。重い遮蔽ケーブルが、前記電極の近くを除いて使用されることができる。前記電極をシールディングすることは、難しく、高価であり、多くの場合、漏れ電流制約のため禁制である。一部のアプローチは、前記生理学的波形を生成する装置と前記患者モニタとの間で光ファイバケーブル又は無線通信を使用する。しかしながら、干渉は、前記電極及び前記電極間のリードワイヤ、及び電気的ＥＣＧ信号を光信号に変換する回路等において依然として生じる。
【０００７】
他のアプローチは、フィルタを使用することである。アナログＥＣＧ信号は、アナログ領域においてフィルタリングされることができる。代わりに、デジタルフィルタリングは、前記アナログ信号のデジタルへの変換後に実行されることができる。しかしながら、追加のファームウェアリソースが、必要とされ、デジタル信号処理ダイナミックレンジは、しばしば、減少され、これは、性能問題及び／又は増大されたコストを引き起こす。
【０００８】
他のアプローチは、理論的傾斜ノイズ干渉を決定し、この情報をＥＣＧ信号から予測される干渉を減算するのに使用することである。例えば、ＭＲスキャナの傾斜コントローラに対する接続は、前記対象に印加される各傾斜磁場のアイデンティティ及びタイミングを提供することができる。しかしながら、干渉の生成されたソース（例えば、生成された傾斜磁場の測定値）に基づく予測された干渉及び各ワイヤリード又はリードケーブルにおける実際の干渉は、電極配置等に対して変化することができる。
【発明の概要】
【発明が解決しようとする課題】
【０００９】
以下は、上述の問題等に対処するリード（又は電極）情報を使用するＥＣＧからのＭＲＩ干渉の新しい改良された減少法を開示する。
【課題を解決するための手段】
【００１０】
一態様によると、生理学的信号Ｓ（ｆ）のＭＲ干渉を減少するのに磁気共鳴（ＭＲ）システムにおいて使用する回路は、第１の加算／減算ノード、ハイパスフィルタ、及び第２の加算／減算ノード（４２）を含む。第１の加算／減算ノードは、ＭＲＩスキャナにより生成された全ての干渉成分Ｎ（ｆ）及び生理学的信号Ｓ（ｆ）を含む第１の信号、並びに生理学的信号Ｓ（ｆ）及びエラー信号Ｅ（ｆ）を含む第２の信号を入力し、第２の信号を第１の信号と減算的に組み合わせて、差分信号Ｎ（ｆ）−Ｅ（ｆ）を生成する。前記ハイパスフィルタは、第１の加算／減算ノードから差分信号Ｎ（ｆ）−Ｅ（ｆ）をフィルタリングする。第２の加算／減算ノードは、第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］を減算的に組み合わせ、第２の信号Ｓ（ｆ）＋Ｅ（ｆ）を生成する。
【００１１】
他の態様によると、生理学的信号Ｓ（ｆ）のＭＲ干渉を減少するのにＭＲシステムにおいて使用する方法は、ＭＲＩスキャナにより生成された全ての干渉成分Ｎ（ｆ）及び生理学的信号Ｓ（ｆ）を含む第１の信号を入力するステップ（４６）を含む。生理学的信号Ｓ（ｆ）及びエラー信号Ｅ（ｆ）を含む第２の信号（３８）Ｓ（ｆ）＋Ｅ（ｆ）は、第１の信号Ｓ（ｆ）＋Ｎ（ｆ）から減算的に組み合わせられ、差分信号Ｎ（ｆ）−Ｅ（ｆ）を生成する。前記差分信号は、ハイパスフィルタを使用してフィルタリングされる。第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］は、減算的に組み合わせられ、第２の信号Ｓ（ｆ）＋Ｅ（ｆ）を生成する。
【００１２】
他の態様によると、生理学的信号Ｓ（ｆ）のＭＲ干渉を減少するのに磁気共鳴（ＭＲ）システムにおいて使用する回路は、リード、フィードフォワードパス、及びノードを含む。前記リードは、Ｎ（ｆ）で汚染されたＳ（ｆ）を含む入力信号を運ぶ。前記フィードフォワードパスは、Ｎ（ｆ）をフィードフォワード回路にフィードフォワードする。前記ノードは、前記入力信号及び前記フィードフォワード信号を減算的に組み合わせて出力信号を生成する。
【００１３】
１つの利点は、減少されたＭＲ傾斜干渉である。
【００１４】
他の利点は、アナログ・デジタル変換の前のハードウェアにおける干渉の除去にある。
【００１５】
他の利点は、実際の干渉自体を使用して傾斜干渉に対してＥＣＧ信号を補正することにある。
【００１６】
他の利点は、生理学的波形形態を維持することにある。
【００１７】
他の利点は、スキャンシーケンスに独立な、よりロバストな生理学的信号品質である。
【００１８】
他の利点は、より信頼できる心臓ゲーティング性能である。
【００１９】
他の利点は、ＭＲＩスキャナにより生成される干渉成分を捕捉するのに追加の電極、リードワイヤ、又はガウスセンサ等を必要としないことである。
【００２０】
更に他の利点は、以下の詳細な記載を読み、理解すると当業者に理解される。
【００２１】
本発明は、様々な構成要素及び構成要素の配置、並びに様々なステップ及びステップの配置の形を取りうる。図面は、好適な実施例を説明する目的のみであり、本発明を限定するように解釈されるべきではない。
【図面の簡単な説明】
【００２２】
【図１】磁気共鳴撮像システム内に配置された干渉減少回路の一実施例を概略的に示す。
【図２】磁気共鳴撮像システム内に配置された回路の他の実施例を概略的に示す。
【図３】ブロック図において干渉減少回路の一実施例を概略的に示す。
【図４】回路図において回路の一実施例を概略的に示す。
【図５】減少されたＭＲ干渉を持つＥＣＧ波形をグラフで示す。
【図６】リードに対するＭＲ干渉を減少する一実施例を使用する方法のフローチャートである。
【発明を実施するための形態】
【００２３】
図１を参照すると、磁気共鳴撮像システム内に配置された解消減少回路の一実施例が、概略的に示される。前記システムは、断面図においてＭＲスキャナ２を含む。スキャナ２は、主磁石４、１つ又は複数の傾斜コイル６、及び１つ又は複数の無線周波数（ＲＦ）コイル８を含む。主磁石４は、静磁場又はＢ0磁場を生成する。前記ＲＦコイルは、対象１０において磁気共鳴を励起及び操作するＲＦパルスを生成する。１つ又は複数の傾斜コイル６は、誘導された共鳴及び誘導された傾斜エコー等を空間エンコードするように前記静磁場にわたり傾斜磁場を生成する。前記スキャナは、対象１０が分光及び／又は撮像検査のために配置される検査領域を規定する開口１２又はボアを含む。前記対象は、パディング（padding）のような対象支持台により支持される。
【００２４】
前記対象は、モニタリング装置１６によりモニタされる。モニタリング装置１６は、ディスプレイ１８、１つ又は複数のプロセッサ２０を含み、少なくとも１つの入力装置２２を含むことができる。ディスプレイ１８は、ＥＣＧのようなモニタされた波形を表示する。前記１つ又は複数のプロセッサは、アナログ・デジタル信号変換、フィルタリング、前記信号の表示のためのフォーマット化を提供する。前記モニタリング装置は、前記対象に関する情報及び前記モニタリング装置を駆動するためのコマンドの入力のために、キーパッド、キーボード、マウス等を含む。前記モニタリング装置は、病院情報システム（ＨＩＳ）等に接続されることができる。
【００２５】
ＥＣＧ電極２４のような１つ又は複数のセンサは、前記対象に取り付けられ、体表面から生理学的信号をモニタする。ＥＣＧ電極２４は、心臓関連の出来的活動を感知するように皮膚に接着する一時的な接着剤で取り付けられることができる。電極２４は、ＥＣＧ信号のような波形信号を生成する生理学的装置２６に小さなワイヤにより接続する。前記生成された波形信号は、ケーブル３０を介して生理学的装置２６とモニタリング装置１６との間で送信される。干渉減少回路３２は、ケーブル３０に沿って配置される。回路３２は、前記ケーブルの端部又は中間のいずれかに配置されることができる。回路３２は、前記波形信号及び前記磁気共鳴傾斜パルスからの干渉を含む信号を入力する。回路３２は、減少された又は除去された磁気的干渉を持つ生理学的信号を出力する。前記回路は、前記回路が既存の装置とともに使用されることができるように標準的なハードウェアインタフェースを使用して前記生理学的装置、患者モニタ及び／又は前記ケーブルに接続することができる。
【００２６】
代替実施例において、回路３２は、生理学的装置２６又はモニタリング装置２０のいずれかに含まれることができる。前記信号が無線で又は光ファイバで送信される場合に、前記回路を前記装置の１つに組み込むことは、有利である。代わりに、前記回路は、前記ケーブル、コネクタ、別のアダプタ、及び／又はいかなる組み合わせにも含められることができる。
【００２７】
ここで使用される「プロセッサ」は、プログラム又は機械実行可能命令を実行することができる電子コンポーネントを含む。「プロセッサ」を有する計算装置の参照は、場合により１より多いプロセッサ又は処理コアを含むものと解釈されるべきである。前記プロセッサは、例えば、マルチコアプロセッサであってもよい。プロセッサは、単一のコンピュータシステム内の又は複数のコンピュータシステムにわたり分散されたひとまとめのプロセッサを参照してもよい。用語計算装置は、場合によりプロセッサ又は複数のプロセッサをそれぞれ有する計算装置のまとまり又はネットワークを参照すると解釈されるべきでもある。多くのプログラムは、同じ計算装置内であってもよい又は複数の計算装置にわたり分散されてもよい複数のプロセッサにより実行される命令を持つ。
【００２８】
ここで使用される「ハードウェアインタフェース」は、コンピュータシステムのプロセッサが外部計算装置及び／又は機器とインタラクト及び／又は制御することを可能にするインタフェースを含む。ハードウェアインタフェースは、プロセッサが制御信号又は命令を外部計算装置及び／又は機器に送信することを可能にしうる。ハードウェアインタフェースは、プロセッサが外部計算装置及び／又は機器とデータを交換することをも可能にしうる。ハードウェアインタフェースの例は、ユニバーサルシリアルバス、ＩＥＥＥ１３９４ポート、パラレルポート、ＩＥＥＥ１２８４ポート、シリアルポート、ＲＳ−２３２ポート、ＩＥＥＥ４８８ポート、ブルートゥース接続、無線ローカルエリアネットワーク接続、ＴＣＰ／ＩＰ接続、イーサネット（登録商標）接続、制御電圧インタフェース、ＭＩＤＩインタフェース、アナログ入力インタフェース、及びデジタル入力インタフェースを含むが、これらに限定されない。
【００２９】
ここで使用される「ディスプレイ」又は「表示装置」は、画像又はデータを表示する出力装置又はユーザインタフェースを含む。ディスプレイは、視覚的、オーディオ及び／又は触覚データを出力することができる。ディスプレイの例は、コンピュータモニタ、テレビ画面、タッチスクリーン、触覚電子ディスプレイ、ブライユスクリーン、陰極線管（ＣＲＴ）、ストレージチューブ、双安定ディスプレイ、電子ペーパー、ベクトルディスプレイ、フラットパネルディスプレイ、真空蛍光ディスプレイ（ＶＦ）、発光ダイオード（ＬＥＤ）ディスプレイ、エレクトロルミネセントディスプレイ（ＥＬＤ）、プラズマディスプレイパネル（ＰＤＰ）、液晶ディスプレイ（ＬＣＤ）、有機発光ダイオードディスプレイ（ＯＬＥＤ）、プロジェクタ、及びヘッドマウントディスプレイを含むが、これらに限定されない。
【００３０】
磁気共鳴（ＭＲ）データは、磁気共鳴撮像スキャン中に磁気共鳴装置のアンテナによる、原子スピンにより発せられる無線周波数信号の記録された測定結果であるとここで規定される。磁気共鳴撮像（ＭＲＩ）画像は、前記磁気共鳴撮像データ内に含まれる解剖学的データの二又は三次元視覚化であるとここで規定される。この視覚化は、コンピュータを使用して実行されることができる。
【００３１】
図２は、磁気共鳴撮像システム内に配置された干渉減少回路３２の他の実施例を概略的に示す。回路３２は、対象１０に固定された電極２４から生理学的装置２６までワイヤリード２８の各々で電気的に接続される。各ワイヤリード２８は、回路３２を使用してフィルタリングされ、減少干渉生理学的波形を生成する。生理学的装置２６は、患者モニタ１６と無線で通信する。
【００３２】
図３は、ブロック図において干渉減少回路３２の位置実施例を概略的に示す。前記回路は、生理学的信号及び傾斜パルスのような磁気共鳴からの干渉を含む信号３４を入力する。前記生理学的信号は、Ｓ（Ｆ）により表され、前記磁気共鳴の干渉又はノイズは、Ｎ（ｆ）により表される。前記回路は、入力信号３４、Ｓ（ｆ）＋Ｎ（ｆ）、並びに前記生理学的信号及びエラー成分を含む第２の又はフィードバック信号３８、Ｓ（ｆ）＋Ｅ（ｆ）を受け取る第１の加算／減算ノード３６を含む。第１のノード３６は、入力信号３４から第２の信号３８を減算し、これは、サレンキー（Sallen-Key）フィルタのようなハイパスフィルタ４０にフィードされる。ハイパスフィルタ４０は、干渉信号Ｎ（ｆ）を保存し、エラー成分Ｅ（ｆ）を最小化しようとする。ハイパスフィルタ４０からのフィルタリングされた信号、Ｈ（ｆ）＊［Ｎ（ｆ）−Ｅ（ｆ）］は、第２の加算／減算ノード４２に入力又はフィードフォワードされる。第２のノード４２は、元の入力信号３４、Ｓ（ｆ）＋Ｎ（ｆ）から、前記ハイパスフィルタからの信号、Ｈ（ｆ）＊［Ｎ（ｆ）−Ｅ（ｆ）］を減算し、これは、第２の信号３８、Ｓ（ｆ）＋Ｅ（ｆ）を生成する。第２の信号３８は、第１のノード３６にフィードバックされる前記生理学的信号及び前記エラー成分を含む。エラーフィードバックプロセスは、前記回路の出力信号３９が前記生理学的信号であるように、エラー信号Ｅ（ｆ）を最小化する。
【００３３】
前記干渉減少回路は、他の処理、フィルタリング、又はディスプレイ１８上の前記生理学的信号としての表示のために前記出力信号をデジタル波形に変換することができる。アナログ・デジタル変換の前に、ローパスフィルタリング、スルーレート制限若しくは補間段又はこれらの組み合わせのような他のオプションが、含まれることができる。ローパスフィルタは、第２のノード４２における減算プロセスから残る高周波成分を減少又は消去することができる。前記干渉減少回路は、出力信号３９を非電気的フォーマットに変換する電気・光トランスデューサ、又はＲＦトランスミッタ等を含むことができる。
【００３４】
図４は、回路図において干渉減少回路３２の一実施例を概略的に示す。図示された実施例は、ＥＣＧリード入力を持つＥＣＧフィルタを含む。ＥＣＧリード２８は、生理学的信号３４、例えばＥＣＧ信号と、傾斜パルスからのような磁気共鳴干渉とを含む。第１のノード３６は、演算増幅器及び別々の構成要素を含み、前記リードからの信号３４を入力し、前記ＥＣＧ信号及びエラー成分を含む第２の信号３８を減算する。前記ノイズ又は干渉成分及び前記エラー成分を含む残りの信号は、ハイパスフィルタ４０にフィードされる。ハイパスフィルタ４０は、演算増幅器及び別々の構成要素を含む。前記ハイパスフィルタの出力信号は、第２のノード４２にフィードされる。第２のノード４２は、入力信号３４から前記ハイパスフィルタの出力を減算し、これは、前記生理学的信号及び前記エラー成分を残し、エラー成分Ｅ（ｆ）を最小化するように第２の信号３８を第１のノード３６にフィードバックする。第２のノード４２は、演算増幅器及び別々の構成要素を含む。第２の信号３８は、オプションのローパスフィルタ４４にフィードされる。前記ローパスフィルタからの出力は、前記回路からの出力３９を形成する。前記ローパスフィルタは、演算増幅器及び別々の構成要素を含む。この実施例の回路は、別々の構成要素を持つクアッド・アンプ・パッケージ（quad amp package）を用いて実装されることができる。
【００３５】
図５は、減少されたＭＲ干渉を持つＥＣＧ波形をグラフで示す。全体的なピーク間ＥＣＧ信号は、減少されておらず、前記傾斜パルスのノイズは、減少される。前記傾斜パルスは、前記ＥＣＧ信号に対して約２ｍＶのノイズを生じる。残りのノイズの原因は、傾斜シーケンスの開始及び終了であり、これらは、おそらく前記ハイパスフィルタのヘッド及びテールによる。
【００３６】
図６は、リードに対するＭＲ干渉を減少する一実施例を使用する１つの方法をフローチャートで示す。ステップ４６において、リードワイヤ又は電極ワイヤからの信号３４が、入力される。信号３４は、ＥＣＧのような生理学的信号Ｓ（ｆ）及び傾斜パルスからのような磁気共鳴撮像からの干渉Ｎ（ｆ）を含む。ステップ４８で始まる反復的な一連のステップにおいて、生理学的信号Ｓ（ｆ）及びエラー成分Ｅ（ｆ）を含む第２の信号３８は、ノード３６において入力信号３４から減算される。減算された信号Ｓ（ｆ）＋Ｎ（ｆ）−［Ｓ（ｆ）＋Ｅ（ｆ）］は、ステップ５０においてハイパスフィルタ４０を使用して前記干渉を分離するようにフィルタリングされる。前記ハイパスフィルタは、前記磁気共鳴撮像からノイズ又は干渉Ｎ（ｆ）を保存する。フィルタリングされた信号Ｈ（ｆ）＊［Ｎ（ｆ）−Ｅ（ｆ）］は、ステップ５２においてノード４２において入力信号３４から減算され、生理学的信号Ｓ（ｆ）及びエラー成分Ｅ（ｆ）は、ノード３６により前記入力信号から前記第２の信号を減算する前のステップ４８にフィードバックされる。前記フィードバック及び減算プロセスは、前記エラー成分を最小化し、ＥＣＧ信号のような生理学的信号Ｓ（ｆ）のみを残す。
【００３７】
オプションのステップ５４において、第２の信号３８は、ローパスフィルタ４４を使用してフィルタリングされる。前記フィルタの出力は、ステップ５６においてアナログ波形からデジタル波形に変換されることができる。アナログ・デジタル変換は、オプションとして、回路３２に含まれる又は別々であることができる。前記信号は、無線で、光学的に、又は有線接続等を介して前記患者モニタに送信されることができる。
【００３８】
ここに示された特定の説明用の実施例に関連して、特定の構造的及び／又は機能フィーチャが、規定された要素及び／又は構成要素に組み込まれると記載されていると理解されるべきである。しかしながら、これらのフィーチャは、同じ効果に対して、適切であれば他の要素及び／又は構成要素に同様に組み込まれてもよい。例示的な実施例の異なる態様が、所望の応用に適した代替的な実施例を達成するのに適切であると選択的に採用されてもよく、前記他の代替的な実施例は、これにより、ここに組み込まれた態様のそれぞれの利点を実現する。
【００３９】
ここに記載された特定の要素又は構成要素が、ハードウェア、ソフトウェア、ファームウェア又はこれらの組み合わせにより適切に実施される機能性を持ちうると理解されるべきである。加えて、一緒に組み込まれるとここに記載された特定の要素が、適切な環境下でスタンドアロン要素であってもよく、又は他の形で分割されてもよいと理解されるべきである。同様に、１つの特定の要素により実行されると記載されている複数の特定の機能は、個々の機能を実行するように独立に機能する複数の別個の要素により実行されてもよく、又は特定の個別の機能が、分割され、協力して機能する複数の別個の要素により実行されてもよい。代わりに、互いに別個であるとここに記載されている及び／又は示されている一部の要素又は構成要素は、適切であれば物理的に又は機能的に結合されてもよい。
【００４０】
要するに、本明細書は、好適な実施例を参照して記載されている。明らかに、修正及び変更は、本明細書を読み、理解すると他者が思いつく。本発明が、添付の請求項又は同等物の範囲に入る限り全てのこのような修正及び変更を含むと解釈されるべきであると意図される。換言すると、様々な上で開示された及び他のフィーチャ及び機能、又はその代替例が、望ましくは多くの他の異なるシステム又は応用に結合されてもよく、以下の請求項により同様に含まれると意図される、様々な現在予期できない又は不測の代替例、修正例、変更例又は改良が、当業者により後でなされてもよいと理解される。
【図１】
2015520649.tif 000003
【図２】
2015520649.tif 000004
【図３】
2015520649.tif 000005
【図４】
2015520649.tif 000006
【図５】
2015520649.tif 000007
【図６】
2015520649.tif 000008
【国際調査報告】
2015520649.tif 000009
2015520649.tif 000010
2015520649.tif 000011